(57)【要約】  本開示の一実施形態に係るコンタクトレンズは、眼球に装着されるレンズ部と、レンズ部が眼球に装着されたときに収縮により小さくなった瞳孔と対向する円形領域内に主に設けられ、眼球に入射する光に対してレンズ部とは異なる作用を与える光学素子とを備えている。
2019073676.tif 000002
【特許請求の範囲】
【請求項１】
眼球に装着されるレンズ部と、
前記レンズ部が前記眼球に装着されたときに収縮により小さくなった瞳孔と対向する円形領域内に主に設けられ、前記眼球に入射する光に対して前記レンズ部とは異なる作用を与える第１光学素子と
を備えた
コンタクトレンズ。
【請求項２】
前記第１光学素子は、偏光分離、光量減衰、波長変換、波長選択、または、波長分布拡大を行う
請求項１に記載のコンタクトレンズ。
【請求項３】
前記第１光学素子は、音圧または熱量に応じて前記作用の度合いを変える
請求項２に記載のコンタクトレンズ。
【請求項４】
外部環境の変化を検知するセンサ素子と、
前記センサ素子から出力される検知信号に基づいて、前記第１光学素子の前記作用の度合いを制御する制御部と
を更に備えた
請求項３に記載のコンタクトレンズ。
【請求項５】
前記第１光学素子は、前記レンズ部の内部に設けられている
請求項２に記載のコンタクトレンズ。
【請求項６】
前記レンズ部が前記眼球に装着されたときに拡大により大きくなった瞳孔の外縁と対向する輪帯領域内に主に設けられ、前記眼球に入射する光に対して前記レンズ部とは異なる作用を与える第２光学素子を更に備えた
請求項１に記載のコンタクトレンズ。
【請求項７】
眼球に装着されるレンズ部と、
前記レンズ部が前記眼球に装着されたときに拡大により大きくなった瞳孔の外縁と対向する輪帯領域内に主に設けられ、前記眼球に入射する光に対して前記レンズ部とは異なる作用を与える光学素子と
を備えた
コンタクトレンズ。
【請求項８】
前記光学素子は、光量増幅、コントラスト強調、波長変換、波長選択、または、波長分布拡大を行う
請求項７に記載のコンタクトレンズ。
【請求項９】
前記光学素子は、音圧または熱量に応じて前記作用の度合いを変える
請求項８に記載のコンタクトレンズ。
【請求項１０】
外部環境の変化を検知するセンサ素子と、
前記センサ素子から出力される検知信号に基づいて、前記光学素子の前記作用の度合いを制御する制御部と
を更に備えた
請求項９に記載のコンタクトレンズ。
【請求項１１】
前記光学素子は、前記レンズ部の内部に設けられている
請求項７に記載のコンタクトレンズ。
【請求項１２】
眼球に装着されるレンズ部と、
前記レンズ部に設けられ、視野周辺部におけるボケ量を視野中心部のボケ量よりも大きくする視野角特性を発現する光学素子と
を備えた
コンタクトレンズ。
【請求項１３】
外部環境の変化を検知するセンサ素子と、
前記センサ素子から出力される検知信号に基づいて、前記光学素子の前記作用の度合いを制御する制御部と
を更に備えた
請求項１２に記載のコンタクトレンズ。
【請求項１４】
前記光学素子は、前記レンズ部の内部に設けられている
請求項１２または請求項１３に記載のコンタクトレンズ。
【請求項１５】
眼球に装着されるレンズ部と、
外部環境の変化を検知するセンサ素子と、
前記レンズ部に設けられ、前記センサ素子から出力される検知信号に基づいて、自身の作用の度合いを変化させる光学素子と
を備えた
コンタクトレンズ。
【請求項１６】
眼球に装着されるレンズ部と、
前記レンズ部に設けられ、前記眼球に入射する光に対して、波長変換、波長選択、または、波長分布拡大を行う光学素子と
を備えた
コンタクトレンズ。
【請求項１７】
眼球に装着されるレンズ部と、
前記レンズ部に設けられた発光素子と、
外部環境の変化を検知するセンサ素子と、
前記センサ素子から出力される検知信号に基づいて、前記発光素子の発光を制御する制御部と
を備えた
コンタクトレンズ。
【請求項１８】
前記発光素子は、前記レンズ部が前記眼球に装着されたときに虹彩の周縁と対向する領域内に設けられている
請求項１７に記載のコンタクトレンズ。
【発明の詳細な説明】
【技術分野】
【０００１】
本開示は、コンタクトレンズに関する。
【背景技術】
【０００２】
従来では、眼鏡を用いて、例えば、眼球に入射する光に含まれる特定の偏光成分をカットしたり、眼球に入射する光の光量を調整したりすることがなされている。
【先行技術文献】
【特許文献】
【０００３】
【特許文献１】特開２０１６−０５３７２４号公報
【発明の概要】
【０００４】
しかし、眼鏡は、激しい動きによって頭部から外れて落下するおそれがある。従って、眼球に入射する光に対して所定の作用を与えつつ、激しい動きなどにも対応可能なコンタクトレンズを提供することが望ましい。
【０００５】
本開示の一実施形態に係る第１のコンタクトレンズは、眼球に装着されるレンズ部と、レンズ部が眼球に装着されたときに収縮により小さくなった瞳孔と対向する円形領域内に主に設けられ、眼球に入射する光に対してレンズ部とは異なる作用を与える光学素子とを備えている。
【０００６】
本開示の一実施形態に係る第１のコンタクトレンズでは、レンズ部が眼球に装着されたときに収縮により小さくなった瞳孔と対向する円形領域内に、眼球に入射する光に対してレンズ部とは異なる作用を与える光学素子が主に設けられている。これにより、明るい環境下で瞳孔が小さくなったときだけ、ユーザは光学素子の効果を感じる。
【０００７】
本開示の一実施形態に係る第２のコンタクトレンズは、眼球に装着されるレンズ部と、レンズ部が眼球に装着されたときに拡大により大きくなった瞳孔の外縁と対向する輪帯領域内に主に設けられ、眼球に入射する光に対してレンズ部とは異なる作用を与える光学素子とを備えている。
【０００８】
本開示の一実施形態に係る第２のコンタクトレンズでは、レンズ部が眼球に装着されたときに拡大により大きくなった瞳孔の外縁と対向する輪帯領域内に、眼球に入射する光に対してレンズ部とは異なる作用を与える光学素子が主に設けられている。これにより、暗い環境下で瞳孔が大きくなったときだけ、ユーザは光学素子の効果を感じる。
【０００９】
本開示の一実施形態に係る第３のコンタクトレンズは、眼球に装着されるレンズ部と、レンズ部に設けられ、視野周辺部におけるボケ量を視野中心部のボケ量よりも大きくする視野角特性を有する光学素子とを備えている。
【００１０】
本開示の一実施形態に係る第３のコンタクトレンズでは、レンズ部が眼球に装着されたときに、視野周辺部におけるボケ量が視野中心部のボケ量よりも大きくなる。これにより、ユーザは、視野周辺部の事象に気を取られ難くなる一方で、視野中心部の事象に気を集中させ易くなる。
【００１１】
本開示の一実施形態に係る第４のコンタクトレンズは、眼球に装着されるレンズ部と、外部環境の変化を検知するセンサ素子と、レンズ部に設けられ、センサ素子から出力される検知信号に基づいて、自身の作用の度合いを変化させる光学素子とを備えている。
【００１２】
本開示の一実施形態に係る第４のコンタクトレンズでは、レンズ部が眼球に装着されたときに、センサ素子から出力される検知信号に基づいて光学素子の作用の度合いが変化する。これにより、ユーザは、外部環境が変化したときに光学素子の効果を感じる。
【００１３】
本開示の一実施形態に係る第５のコンタクトレンズは、眼球に装着されるレンズ部と、レンズ部に設けられ、眼球に入射する光に対して、波長変換、波長選択、または、波長分布拡大を行う光学素子とを備えている。
【００１４】
本開示の一実施形態に係る第５のコンタクトレンズでは、レンズ部が眼球に装着されたときに、眼球に入射する光に対して、波長変換、波長選択、または、波長分布拡大がなされる。これにより、ユーザは、波長変換、波長選択、または、波長分布拡大といった、可視光の減衰量が少ない所定の光学的な効果を得る。
【００１５】
本開示の一実施形態に係る第６のコンタクトレンズは、眼球に装着されるレンズ部と、レンズ部に設けられた発光素子と、外部環境の変化を検知するセンサ素子と、センサ素子から出力される検知信号に基づいて、発光素子の発光を制御する制御部とを備えている。
【００１６】
本開示の一実施形態に係る第６のコンタクトレンズでは、センサ素子から出力される検知信号に基づいて、発光素子の発光が制御される。これにより、ユーザは、例えば、発光素子における発光位置から、外部環境の変化を知ることができる。
【００１７】
本開示の一実施形態に係る第１〜第６のコンタクトレンズによれば、眼球に入射する光に対して所定の作用を与えつつ、激しい動きなどにも対応することができる。なお、本開示の効果は、ここに記載された効果に必ずしも限定されず、本明細書中に記載されたいずれの効果であってもよい。
【図面の簡単な説明】
【００１８】
【図１】本開示の第１の実施形態に係るコンタクトレンズが明るい環境下で眼球に装着されている様子の一例を表す正面図である。
【図２】図１のコンタクトレンズが明るい環境下で眼球に装着されている様子の一例を表す正面図である。
【図３】図２のコンタクトレンズおよび眼球の断面構成の一例を表す断面図である。
【図４】図１のコンタクトレンズが明るい環境下から暗い環境下に移行したときに眼球に装着されている様子の一例を表す正面図である。
【図５】本開示の第２の実施形態に係るコンタクトレンズが暗い環境下で眼球に装着されている様子の一例を表す正面図である。
【図６】図５のコンタクトレンズが暗い環境下で眼球に装着されている様子の一例を表す正面図である。
【図７】図５のコンタクトレンズおよび眼球の断面構成の一例を表す断面図である。
【図８】図５のコンタクトレンズが暗い環境下から明るい環境下に移行したときに眼球に装着されている様子の一例を表す正面図である。
【図９】本開示の第３の実施形態に係るコンタクトレンズが眼球に装着されている様子の一例を表す正面図である。
【図１０】本開示の第４の実施形態に係るコンタクトレンズが眼球に装着されている様子の一例を表す正面図である。
【図１１】本開示の第５の実施形態に係るコンタクトレンズが眼球に装着されている様子の一例を表す正面図である。
【図１２】図１０のコンタクトレンズが眼球に装着されているときの視野の一例を表す図である。
【図１３】図１２の視野のボケ量の一例を表す図である。
【図１４】図１０のコンタクトレンズが眼球に装着されているときの視野の一例を表す図である。
【図１５】図１４の視野の遮断光量の一例を表す図である。
【図１６】本開示の第６の実施形態に係るコンタクトレンズが眼球に装着されている様子の一例を表す正面図である。
【図１７】本開示の第７の実施形態に係るコンタクトレンズが眼球に装着されている様子の一例を表す正面図である。
【図１８】図１７のコンタクトレンズの一変形例を表す正面図である。
【図１９】図２、図６、図９、図１０、図１１、図１６、図１７のコンタクトレンズの断面構成の一変形例を表す断面図である。
【図２０】図２、図６、図９、図１０、図１１、図１６、図１７のコンタクトレンズの断面構成の一変形例を表す断面図である。
【発明を実施するための形態】
【００１９】
以下、本開示を実施するための形態について、図面を参照して詳細に説明する。なお、説明は以下の順序で行う。
１．第１の実施の形態
レンズ部の中央に光学素子を設けた例（図１〜図４）
２．第２の実施の形態
レンズ部の外縁に光学素子を設けた例（図５〜図８）
３．第３の実施の形態
レンズ部の中央および外縁のそれぞれに光学素子を
設けた例（図９）
４．第４の実施の形態
レンズ部の広範囲に光学素子を設けた例（図１０）
５．第５の実施の形態
光学素子を制御する制御部とセンサ素子とを
設けた例（図１１〜図１５）
６．第６の実施の形態
センサ出力で光学素子を制御する例（図１６）
７．第７の実施の形態
複数のセンサ素子を備えた例（図１７、図１８）
８．変形例
レンズ部の表面または裏面に光学素子を
設けた例（図１９，図２０）
【００２０】
＜１．第１の実施の形態＞
[構成]
本開示の第１の実施の形態に係るコンタクトレンズ１について説明する。図１、図２、図４は、コンタクトレンズ１が眼球１００に装着されている様子の一例を表したものである。図３は、コンタクトレンズ１および眼球１００の断面構成の一例を表したものである。眼球１００は、例えば、虹彩１１０および瞳孔１２０を有している。図１、図２には、明るい環境下で瞳孔１２０が収縮し、瞳孔１２０（または瞳孔１２０に対向する円形領域）の直径がＤ１となっている様子が例示されている。図２には、コンタクトレンズ１の構成要素が例示されている。図４には、明るい環境下から暗い環境下に移行したときに瞳孔１２０が拡大し、瞳孔１２０（または瞳孔１２０に対向する円形領域）の直径がＤ２となっている様子が例示されている。
【００２１】
コンタクトレンズ１は、眼球１００に装着されるレンズ部１０と、レンズ部１０に設けられた光学素子２０とを備えている。レンズ部１０は、眼球の表面形状に倣った曲面形状となっている。レンズ部１０は、正面から見たときには、例えば、円形状となっている。レンズ部１０の直径は、瞳孔１２０の外縁の直径Ｄ１よりも大きな値となっている。レンズ部１０は、近視、遠視、乱視などを補正するための視力補正機能を持ったレンズであってもよいし、そのような視力補正機能を持たない光透過性基材であってもよい。レンズ部１０は、例えば、光透過性の樹脂によって構成されており、光学素子２０を支持する支持基材としての役割を有している。
【００２２】
光学素子２０は、例えば、レンズ部１０の中央に形成されている。光学素子２０は、例えば、レンズ部１０が眼球１００に装着されたときに明るい環境下で収縮により小さくなった瞳孔１２０と対向する円形領域１２０Ａ内に主に設けられている。つまり、光学素子２０は、例えば、明るい環境下で瞳孔１２０が収縮し、瞳孔１２０の直径がＤ１となったときに、その瞳孔１２０と対向する領域を概ね覆う位置に配置されている。光学素子２０は、例えば、レンズ部１０の内部に設けられている。光学素子２０は、例えば、正面から見たときに円形状となっている。なお、光学素子２０は、円形状以外の形状となっていてもよく、例えば、楕円形状、または、多角形状となっていてもよい。
【００２３】
光学素子２０は、眼球１００に入射する光に対してレンズ部１０とは異なる作用を与える素子である。光学素子２０は、例えば、偏光分離、光量減衰、波長変換、波長選択、または、波長分布拡大を行う。
【００２４】
光学素子２０が偏光分離の機能を持っている場合、光学素子２０は、例えば、光学素子２０に入射した光から、地表や水面での反射光を選択的に減衰させる偏光レンズによって構成されている。
【００２５】
光学素子２０が光量減衰の機能を持っている場合、光学素子２０は、例えば、光学素子２０に入射した光を吸収するＮＤ（Neutral Density）フィルタによって構成されている。
【００２６】
光学素子２０が波長変換の機能を持っている場合、光学素子２０は、例えば、光学素子２０に入射した光に含まれる紫外線を可視光（例えば青色光）に変換する波長変換フィルム、または、光学素子２０に入射した光に含まれる赤外線を可視光（例えば赤色光）に変換する波長変換フィルムによって構成されている。光学素子２０が波長変換の機能を持っている場合、光学素子２０は、例えば、光学素子２０に入射した光に含まれる光を、可視領域内の所定の波長域（例えば、色弱者が視認できる波長域）に変換する波長変換フィルムによって構成されている。
【００２７】
光学素子２０が波長選択の機能を持っている場合、光学素子２０は、例えば、光学素子２０に入射した光に含まれる所定の波長域の光を、選択的に透過する波長選択フィルタによって構成されていてもよい。波長選択フィルタとしては、例えば、紫外光を減衰させるフィルタ、赤外光を減衰させるフィルタ、可視光のうち所定の波長域の光を減衰させるフィルタなどが挙げられる。
【００２８】
光学素子２０が波長分布拡大の機能を持っている場合、光学素子２０は、例えば、光学素子２０に入射した光に含まれる波長分布の帯域を拡大して、光学素子２０に入射した光の微小な色の違いを分別できるようにする光学部品によって構成されている。
【００２９】
［効果］
次に、本実施の形態のコンタクトレンズ１の効果について説明する。
【００３０】
従来では、眼鏡を用いて、例えば、眼球に入射する光に含まれる特定の偏光成分をカットしたり、眼球に入射する光の光量を調整したりすることがなされている。しかし、眼鏡は、激しい動きによって頭部から外れて落下するおそれがある。
【００３１】
一方、本実施の形態では、眼鏡に適用される機能が、コンタクトレンズ１に設けられている。これにより、眼球１００に入射する光に対して所定の作用を与えつつ、激しい動きなどにも対応することが可能である。
【００３２】
さらに、本実施の形態では、レンズ部１０が眼球１００に装着されたときに収縮により小さくなった瞳孔１２０と対向する円形領域１２０Ａ内に、眼球１００に入射する光に対してレンズ部１０とは異なる作用を与える光学素子２０が主に設けられている。これにより、明るい環境下で瞳孔１２０が小さくなったときだけ、ユーザは光学素子２０の効果を感じる。その結果、例えば、明るい環境下で必要となる光学的な効果を、明るい環境のときにユーザに感じさせ、それ以外の環境（例えば、暗い環境）下ではむしろ必要ない光学的な効果をユーザに感じさせないようにすることができる。このように、本実施の形態では、眼鏡では環境とは無関係に発現してしまう光学的な効果を、必要なときにユーザに感じさせることができる。
【００３３】
また、本実施の形態では、レンズ部１０に設けた光学素子２０によって、例えば、偏光分離、光量減衰、波長変換、波長選択、または、波長分布拡大の機能が発現する。これにより、眼鏡では環境とは無関係に発現してしまう光学的な効果を、必要なとき（明るい環境下）にユーザに感じさせることができる。
【００３４】
また、本実施の形態では、光学素子２０がレンズ部１０の内部に設けられている。これにより、光学素子２０の存在によってレンズ部１０の表面に凹凸が生じさせないようにすることができるので、ユーザによるコンタクトレンズ１の使用感が、光学素子２０の存在によって悪化するのを避けることができる。
【００３５】
＜２．第２の実施の形態＞
次に、本開示の第２の実施の形態に係るコンタクトレンズ２について説明する。図５、図６、図８は、コンタクトレンズ２が眼球１００に装着されている様子の一例を表したものである。図７は、コンタクトレンズ２および眼球１００の断面構成の一例を表したものである。図５、図６には、暗い環境下で瞳孔１２０が収縮し、瞳孔１２０の直径がＤ２（Ｄ２＜Ｄ１）となっている様子が例示されている。図７には、コンタクトレンズ２の構成要素が例示されている。図８には、暗い環境下から明るい環境下に移行したときに瞳孔１２０が縮小し、瞳孔１２０（または瞳孔１２０に対向する円形領域）の直径がＤ１となっている様子が例示されている。
【００３６】
コンタクトレンズ２は、眼球１００に装着されるレンズ部１０と、レンズ部１０に設けられた光学素子３０とを備えている。レンズ部１０の直径は、瞳孔１２０の外縁の直径Ｄ２よりも大きな値となっている。レンズ部１０は、例えば、光透過性の樹脂によって構成されており、光学素子３０を支持する支持基材としての役割を有している。
【００３７】
光学素子３０は、例えば、レンズ部１０の中央を避けて形成されている。光学素子３０は、例えば、レンズ部１０が眼球１００に装着されたときに暗い環境下で拡大により大きくなった瞳孔１２０の外縁領域と対向する輪帯領域１２０Ｃ内に主に設けられている。輪帯領域１２０Ｃは、瞳孔１２０の直径がＤ２となっているときの円形領域１２０Ｂの外縁と、瞳孔１２０の直径がＤ１となっているときの円形領域１２０Ａの外縁との間の帯状の領域である。つまり、光学素子３０は、例えば、暗い環境下で瞳孔１２０が収縮し、瞳孔１２０の直径がＤ２となったときに、その瞳孔１２０の外縁領域を概ね覆う位置に配置されている。また、光学素子３０は、例えば、明るい環境下で瞳孔１２０が拡大し、瞳孔１２０の直径がＤ１となったときに、その瞳孔１２０を避けて配置されている。光学素子３０は、例えば、レンズ部１０の内部に設けられている。光学素子３０は、例えば、正面から見たときに円環形状となっている。なお、光学素子３０は、円環形状以外の形状となっていてもよく、例えば、楕円環形状、または、多角環形状となっていてもよい。
【００３８】
光学素子３０は、眼球１００に入射する光に対してレンズ部１０とは異なる作用を与える素子である。光学素子３０は、例えば、光量増幅、コントラスト強調、波長変換、波長選択、または、波長分布拡大を行う。
【００３９】
光学素子３０が光量増幅の機能を持っている場合、光学素子３０は、例えば、光学素子３０に入射した光に含まれる、可視光成分を増幅する素子によって構成されている。
【００４０】
光学素子３０がコントラスト強調の機能を持っている場合、光学素子３０は、例えば、光学素子３０に入射した光に含まれる高輝度な部分と低輝度な部分とのコントラスト差を強調する素子によって構成されている。
【００４１】
光学素子３０が波長変換の機能を持っている場合、光学素子３０は、例えば、光学素子３０に入射した光に含まれる紫外線を可視光（例えば青色光）に変換する波長変換フィルム、または、光学素子３０に入射した光に含まれる赤外線を可視光（例えば赤色光）に変換する波長変換フィルムによって構成されている。光学素子３０が波長変換の機能を持っている場合、光学素子３０は、例えば、光学素子３０に入射した光に含まれる光を、可視領域内の所定の波長域（例えば、色弱者が視認できる波長域）に変換する波長変換フィルムによって構成されている。
【００４２】
光学素子３０が波長選択の機能を持っている場合、光学素子３０は、例えば、光学素子３０に入射した光に含まれる所定の波長域の光を、選択的に透過する波長選択フィルタによって構成されていてもよい。波長選択フィルタとしては、例えば、紫外光を減衰させるフィルタ、赤外光を減衰させるフィルタ、可視光のうち所定の波長域の光を減衰させるフィルタなどが挙げられる。
【００４３】
光学素子３０が波長分布拡大の機能を持っている場合、光学素子３０は、例えば、光学素子３０に入射した光に含まれる波長分布の帯域を拡大して、光学素子３０に入射した光の微小な色の違いを分別できるようにする光学部品によって構成されている。
【００４４】
［効果］
次に、本実施の形態のコンタクトレンズ２の効果について説明する。
【００４５】
本実施の形態では、眼鏡に適用される機能が、コンタクトレンズ２に設けられている。これにより、眼球１００に入射する光に対して所定の作用を与えつつ、激しい動きなどにも対応することが可能である。
【００４６】
さらに、本実施の形態では、レンズ部１０が眼球１００に装着されたときに拡大により大きくなった瞳孔１２０の外縁と対向する輪帯領域１２０Ｂ内に、眼球１００に入射する光に対してレンズ部１０とは異なる作用を与える光学素子３０が主に設けられている。これにより、暗い環境下で瞳孔１２０が大きくなったときだけ、ユーザは光学素子３０の効果を感じる。その結果、例えば、暗い環境下で必要となる光学的な効果を、暗い環境のときにユーザに感じさせ、それ以外の環境（例えば、明るい環境）下ではむしろ必要ない光学的な効果をユーザに感じさせないようにすることができる。このように、本実施の形態では、眼鏡では環境とは無関係に発現してしまう光学的な効果を、必要なときにユーザに感じさせることができる。
【００４７】
また、本実施の形態では、レンズ部１０に設けた光学素子３０によって、例えば、光量増幅、コントラスト強調、波長変換、波長選択、または、波長分布拡大の機能が発現する。これにより、眼鏡では環境とは無関係に発現してしまう光学的な効果を、必要なとき（暗い環境下）にユーザに感じさせることができる。
【００４８】
また、本実施の形態では、光学素子３０がレンズ部１０の内部に設けられている。これにより、光学素子３０の存在によってレンズ部１０の表面に凹凸が生じさせないようにすることができるので、ユーザによるコンタクトレンズ２の使用感が、光学素子３０の存在によって悪化するのを避けることができる。
【００４９】
＜３．第３の実施の形態＞
次に、本開示の第３の実施の形態に係るコンタクトレンズ３について説明する。図９は、コンタクトレンズ３が眼球１００に装着されている様子の一例を表したものである。コンタクトレンズ３は、上記実施の形態の光学素子２０と、上記実施の形態の光学素子３０とを備えている。本実施の形態において、光学素子３０は、光学素子２０の周縁に設けられており、光学素子２０とは異なる作用を与える。コンタクトレンズ３において、例えば、光学素子２０が光量減衰を行う素子となっており、光学素子３０が光量増幅を行う素子となっている。なお、コンタクトレンズ３において、例えば、光学素子２０が光量減衰を行う素子となっており、光学素子３０がコントラスト強調を行う素子となっていてもよい。また、コンタクトレンズ３において、例えば、光学素子２０が偏光分離を行う素子となっており、光学素子３０が光量増幅を行う素子となっていてもよい。また、コンタクトレンズ３において、例えば、光学素子２０が偏光分離を行う素子となっており、光学素子３０がコントラスト強調を行う素子となっていてもよい。
【００５０】
これにより、例えば、明るい環境下で必要となる光学素子２０の効果を、明るい環境のときにユーザに感じさせ、それ以外の環境（例えば、暗い環境）下ではむしろ必要ない光学素子２０の効果をユーザに感じさせないようにすることができる。さらに、例えば、暗い環境下で必要となる光学素子３０の効果を、暗い環境のときにユーザに感じさせ、それ以外の環境（例えば、明るい環境）下ではむしろ必要ない光学素子３０の効果をユーザに感じさせないようにすることができる。このように、本実施の形態では、眼鏡では環境とは無関係に発現してしまう光学的な効果を、必要なときにユーザに感じさせることができる。
【００５１】
また、光学素子２０，３０の機能が上述した組み合わせとなっていることにより、眼鏡では実現できない多機能なコンタクトレンズ３を実現することができる。
【００５２】
＜４．第４の実施の形態＞
次に、本開示の第４の実施の形態に係るコンタクトレンズ４について説明する。図１０は、コンタクトレンズ４が眼球１００に装着されている様子の一例を表したものである。
【００５３】
コンタクトレンズ４は、眼球１００に装着されるレンズ部１０と、レンズ部１０に設けられた光学素子４０とを備えている。レンズ部１０の直径は、瞳孔１２０の外縁の直径よりも大きな値となっている。レンズ部１０は、例えば、光透過性の樹脂によって構成されており、光学素子４０を支持する支持基材としての役割を有している。
【００５４】
光学素子４０は、例えば、少なくともレンズ部１０の中央に形成されている。光学素子４０は、例えば、レンズ部１０が眼球１００に装着されたときに瞳孔１２０と対向する領域内に主に設けられている。つまり、光学素子４０は、例えば、任意の環境下での瞳孔１２０と対向する領域を概ね覆う位置に配置されている。光学素子４０は、例えば、レンズ部１０の内部に設けられている。光学素子４０は、例えば、正面から見たときに円形状となっている。なお、光学素子４０は、円形状以外の形状となっていてもよく、例えば、楕円形状、または、多角形状となっていてもよい。
【００５５】
光学素子４０は、眼球１００に入射する光に対してレンズ部１０とは異なる作用を与える素子である。光学素子４０は、可視光の減衰量が少ない所定の光学的な機能を有している。光学素子４０は、例えば、波長変換、波長選択、または、波長分布拡大を行う。
【００５６】
光学素子４０が波長変換の機能を持っている場合、光学素子４０は、例えば、光学素子４０に入射した光に含まれる紫外線を可視光（例えば青色光）に変換する波長変換フィルム、または、光学素子４０に入射した光に含まれる赤外線を可視光（例えば赤色光）に変換する波長変換フィルムによって構成されている。光学素子４０が波長変換の機能を持っている場合、光学素子４０は、例えば、光学素子４０に入射した光に含まれる光を、可視領域内の所定の波長域（例えば、色弱者が視認できる波長域）に変換する波長変換フィルムによって構成されている。
【００５７】
光学素子４０が波長選択の機能を持っている場合、光学素子４０は、例えば、光学素子２０に入射した光に含まれる所定の波長域の光を、選択的に透過する波長選択フィルタによって構成されていてもよい。波長選択フィルタとしては、例えば、紫外光を減衰させるフィルタ、赤外光を減衰させるフィルタなどが挙げられる。
【００５８】
光学素子４０が波長分布拡大の機能を持っている場合、光学素子４０は、例えば、光学素子４０に入射した光に含まれる波長分布の帯域を拡大して、光学素子４０に入射した光の微小な色の違いを分別できるようにする光学部品によって構成されている。
【００５９】
［効果］
次に、本実施の形態のコンタクトレンズ４の効果について説明する。
【００６０】
本実施の形態では、眼鏡に適用される機能が、コンタクトレンズ４に設けられている。これにより、眼球１００に入射する光に対して所定の作用を与えつつ、激しい動きなどにも対応することが可能である。
【００６１】
また、本実施の形態では、レンズ部１０に設けた光学素子２０によって、例えば、波長変換、波長選択、または、波長分布拡大といった、可視光の減衰量が少ない所定の光学的な機能が発現する。これにより、視認性にそれほどの影響を与えずに、ユーザにとって有益な光学的な効果を与えることができる。
【００６２】
＜５．第５の実施の形態＞
次に、本開示の第５の実施の形態に係るコンタクトレンズ５について説明する。図１１は、コンタクトレンズ５が眼球１００に装着されている様子の一例を表したものである。
【００６３】
コンタクトレンズ５は、眼球１００に装着されるレンズ部１０と、レンズ部１０に設けられた光学素子５０と、外部環境の変化を検知するセンサ素子７０と、制御部６０とを備えている。レンズ部１０の直径は、瞳孔１２０の外縁の直径よりも大きな値となっている。レンズ部１０は、例えば、光透過性の樹脂によって構成されており、光学素子５０を支持する支持基材としての役割を有している。
【００６４】
制御部６０は、例えば、センサ素子７０から出力される検知信号に基づいて、光学素子５０の作用の度合い（光学特性（視野角特性））を制御する。センサ素子７０は、例えば、眼球１００における瞳孔１２０の位置を検知する素子、または、瞬きを検知する素子である。センサ素子７０が眼球１００における瞳孔１２０の位置を検知する素子である場合、制御部６０は、例えば、センサ素子７０から入力される検出信号（眼球１００における瞳孔１２０の位置についての情報）に基づいて、視線の向きもしくは動きを導出し、導出した視線の向きもしくは動きに応じて、光学素子５０の光学特性（視野角特性）を制御する。センサ素子７０が瞬きを検知する素子である場合、制御部６０は、例えば、センサ素子７０から入力される検出信号（瞬きについての情報）に基づいて、瞬きの回数もしくは頻度を導出し、導出した瞬きの回数もしくは頻度に応じて、光学素子５０の光学特性（視野角特性）を制御する。
【００６５】
光学素子５０は、例えば、少なくともレンズ部１０の中央に形成されている。光学素子５０は、例えば、レンズ部１０が眼球１００に装着されたときに瞳孔１２０と対向する領域内に主に設けられている。つまり、光学素子５０は、例えば、任意の環境下での瞳孔１２０と対向する領域を概ね覆う位置に配置されている。光学素子５０は、例えば、レンズ部１０の内部に設けられている。光学素子５０は、例えば、正面から見たときに円形状となっている。なお、光学素子５０は、円形状以外の形状となっていてもよく、例えば、楕円形状、または、多角形状となっていてもよい。
【００６６】
光学素子５０は、眼球１００に入射する光に対してレンズ部１０とは異なる作用を与える素子である。光学素子５０は、例えば、制御部６０による制御により、視野周辺部におけるボケ量を視野中心部のボケ量よりも大きくする視野角特性を発現する。図１２は、コンタクトレンズ５が眼球１００に装着されているときのユーザの視野の一例を表したものである。図１２から、ユーザは光学素子５０を介して外部環境を眺めたときに、視野の中心が相対的にボケの少ない明瞭領域２２０となっており、視野の周囲が相対的にボケの多いボケ領域２１０となっている。光学素子５０は、例えば、図１３に示したように、正面から入射する光に対してはボケ量０％（ボケなし）の素子として機能し、視野角が所定の値を超えるとボケ量が徐々に増加する素子として機能する。
【００６７】
ユーザにそのような視野を提供することの可能な光学素子４０としては、例えば、光の入射角に応じて収差またはヘイズが異なる特性を有する光学素子が挙げられる。そのような光学素子は、例えば、視野角に依存した透過特性を有する光学素子である。視野角に依存した透過特性を有する光学素子は、例えば、視野角特性を有する液晶層や、透過回折光に対して入射角特性を有する素子（例えば、ホログラム素子、または、ホログラフィックＰＤＬＣ（Polymer Dispersed Liquid Crystal；高分子分散型液晶））などによって構成されている。
【００６８】
光学素子５０は、例えば、制御部６０による制御により、視野周辺部における遮断光量を視野中心部の遮断光量よりも大きくする視野角特性を発現するようになっていてもよい。図１４は、コンタクトレンズ５が眼球１００に装着されているときのユーザの視野の一例を表したものである。図１４から、ユーザは光学素子５０を介して外部環境を眺めたときに、視野の中心が相対的に遮断光量の少ない明瞭領域２２０となっており、視野の周囲が相対的に遮断光量の多いボケ領域２１０となっている。光学素子５０は、例えば、図１５に示したように、正面から入射する光に対しては遮断光量０％（ボケなし）の素子として機能し、視野角が所定の値を超えると遮断光量が徐々に増加する素子として機能する。
【００６９】
［効果］
次に、本実施の形態のコンタクトレンズ５の効果について説明する。
【００７０】
本実施の形態では、制御部６０による制御により視野角特性の変化する光学素子５０がコンタクトレンズ５に設けられている。これにより、眼球１００に入射する光に対して所定の作用を与えつつ、激しい動きなどにも対応することが可能である。
【００７１】
さらに、本実施の形態では、視野周辺部（ボケ領域２１０）におけるボケ量が視野中心部（明瞭領域２２０）のボケ量よりも大きくなる視野角特性を発現する光学素子５０が、レンズ部１０に設けられている。これにより、例えば、視野周辺部における不要な情報がユーザに入力されるのを防ぎ、視野中心部における必要な情報にユーザの気持ちを集中させることができる。
【００７２】
また、本実施の形態では、光学素子５０がレンズ部１０の内部に設けられている。これにより、光学素子５０の存在によってレンズ部１０の表面に凹凸が生じさせないようにすることができるので、ユーザによるコンタクトレンズ５の使用感が、光学素子５０の存在によって悪化するのを避けることができる。
【００７３】
＜６．第６の実施の形態＞
次に、本開示の第６の実施の形態に係るコンタクトレンズ６について説明する。図１６は、コンタクトレンズ６が眼球１００に装着されている様子の一例を表したものである。
【００７４】
コンタクトレンズ６は、眼球１００に装着されるレンズ部１０と、レンズ部１０に設けられたセンサ素子７０および光学素子８０とを備えている。光学素子８０は、センサ素子７０から出力される検知信号に基づいて、自身（光学素子８０）の作用の度合い（光学特性）を変化させる。光学素子８０は、例えば、上記実施の形態に係る光学素子２０，３０，５０と共通の機能を有している。
【００７５】
光学素子８０は、例えば、少なくともレンズ部１０の中央に形成されている。光学素子８０は、例えば、レンズ部１０が眼球１００に装着されたときに瞳孔１２０と対向する領域内に主に設けられている。つまり、光学素子８０は、例えば、任意の環境下での瞳孔１２０と対向する領域を概ね覆う位置に配置されている。光学素子８０は、例えば、レンズ部１０の内部に設けられている。光学素子８０は、例えば、正面から見たときに円形状となっている。なお、光学素子８０は、円形状以外の形状となっていてもよく、例えば、楕円形状、または、多角形状となっていてもよい。
【００７６】
［効果］
次に、本実施の形態のコンタクトレンズ６の効果について説明する。
【００７７】
本実施の形態では、光学素子８０がコンタクトレンズ６に設けられている。これにより、眼球１００に入射する光に対して所定の作用を与えつつ、激しい動きなどにも対応することが可能である。
【００７８】
さらに、本実施の形態では、センサ素子７０から出力される検知信号に基づいて、光学素子８０の作用の度合い（光学特性）を変化させる光学素子８０が、レンズ部１０に設けられている。これにより、例えば、外部環境の変化に応じて光学素子８０の作用の度合い（光学特性）変化させることができる。その結果、外部環境の変化に応じた機能をユーザに提供することができる。
【００７９】
＜７．第７の実施の形態＞
次に、本開示の第７の実施の形態に係るコンタクトレンズ７について説明する。図１７は、コンタクトレンズ７が眼球１００に装着されている様子の一例を表したものである。
【００８０】
コンタクトレンズ７は、眼球１００に装着されるレンズ部１０と、レンズ部１０に設けられた制御部６０、複数のセンサ素子７０および光学素子９０とを備えている。光学素子９０は、制御部６０による制御によって、光学素子９０の作用の度合い（光学特性）を変化させる。光学素子９０は、例えば、上記実施の形態に係る光学素子２０，３０，５０と共通の機能を有している。
【００８１】
制御部６０は、例えば、各センサ素子７０から出力される検知信号に基づいて、光学素子９０の作用の度合い（光学特性）を制御する。各センサ素子７０は、例えば、音圧または熱量を検知する素子である。センサ素子９０が音圧を検知する素子である場合、制御部６０は、例えば、各センサ素子７０から入力される検出信号に基づいて、音圧のより強い方角を導出し、導出した方角に応じて、光学素子９０の作用の度合い（光学特性）を制御する。センサ素子９０が熱量を検知する素子である場合、制御部６０は、例えば、各センサ素子７から入力される検出信号に基づいて、熱量のより大きな方角を導出し、導出した方角に応じて、光学素子９０の作用の度合い（光学特性）を制御する。
【００８２】
光学素子９０は、例えば、少なくともレンズ部１０の中央に形成されている。光学素子９０は、例えば、レンズ部１０が眼球１００に装着されたときに瞳孔１２０と対向する領域内に主に設けられている。つまり、光学素子９０は、例えば、任意の環境下での瞳孔１２０と対向する領域を概ね覆う位置に配置されている。光学素子９０は、例えば、レンズ部１０の内部に設けられている。光学素子９０は、例えば、正面から見たときに円形状となっている。なお、光学素子９０は、円形状以外の形状となっていてもよく、例えば、楕円形状、または、多角形状となっていてもよい。
【００８３】
［効果］
次に、本実施の形態のコンタクトレンズ７の効果について説明する。
【００８４】
本実施の形態では、光学素子９０がコンタクトレンズ７に設けられている。これにより、眼球１００に入射する光に対して所定の作用を与えつつ、激しい動きなどにも対応することが可能である。
【００８５】
さらに、本実施の形態では、各センサ素子７０から出力される検知信号に基づいて、光学素子９０の作用の度合い（光学特性）を変化させる光学素子９０が、レンズ部１０に設けられている。これにより、外部環境の変化（例えば、音圧または熱量の変化）に応じて光学素子９０の作用の度合い（光学特性）変化させることができる。その結果、外部環境の変化（例えば、音圧または熱量の変化）をユーザに知らせることができる。
【００８６】
なお、光学素子９０が、例えば、上記実施の形態に係る光学素子２０、または、上記実施の形態に係る光学素子３０であってもよい。このようにした場合であっても、外部環境の変化（例えば、音圧または熱量の変化）をユーザに知らせることができる。
【００８７】
なお、例えば、図１８に示したように、光学素子９０の代わりに、発光素子９１が設けられていてもよい。発光素子９１は、例えば、レンズ部１０が眼球１００に装着されたときに虹彩１１０の周縁と対向する領域内に設けられており、例えば、発光ダイオードや有機電界発光素子などによって構成された複数の発光部が円環状に配置された構成となっている。この場合、制御部６０は、例えば、各センサ素子７０から入力される検出信号に基づいて、発光素子９１の発光を制御する。制御部６０は、例えば、各センサ素子７０から出力される検知信号に基づいて、発光素子９１内の複数の発光部のうち所定の１または複数の発光部を発光させる。制御部６０は、例えば、図１８に示したように、各センサ素子７０から出力される検知信号に基づいて、発光素子９１の一部から光９１Ａを発する。これにより、発光素子９１における発光位置から、外部環境の変化（例えば、音圧または熱量の変化）をユーザに知らせることができる。また、発光素子９１がレンズ部１０が眼球１００に装着されたときに虹彩１１０の周縁と対向する領域内に設けられている場合には、視界を妨げることなく、外部環境の変化（例えば、音圧または熱量の変化）をユーザに知らせることができる。
【００８８】
＜８．変形例＞
次に、上記各実施の形態に係るコンタクトレンズ１〜７の変形例について説明する。
【００８９】
[変形例Ａ]
上記各実施の形態において、光学素子２０，３０，４０，５０，８０，９０は、例えば、図１９に示したように、レンズ部１０のうち、レンズ部１０のうち、眼球１００に接する側の面（凹形状の面１０Ｂ）に配置されていてもよい。また、上記各実施の形態において、光学素子２０，３０，４０，５０，８０，９０は、例えば、図２０に示したように、レンズ部１０のうち、レンズ部１０のうち、眼球１００に接しない側の面（凸形状の面１０Ａ）に配置されていてもよい。光学素子２０，３０，４０がこれらのような配置となっている場合であっても、上記各実施の形態における種々の効果を得ることができる。
【００９０】
[変形例Ｂ]
上記各実施の形態およびその変形例において、コンタクトレンズ１〜７が、左目用と右目用とで互いに異なる機能を有する光学素子２０，３０，４０，５０，８０，９０を備えていてもよい。例えば、ユーザの利き目に用いるコンタクトレンズ１〜７に対して、相対的に重要な機能を有する光学素子２０，３０，４０，５０，８０，９０が設けられ、利き目ではない方の目に用いるコンタクトレンズ１〜７に対して、相対的に重要でない補助的な機能を有する光学素子２０，３０，４０，５０，８０，９０が設けられる。
【００９１】
なお、本明細書中に記載された効果は、あくまで例示である。本開示の効果は、本明細書中に記載された効果に限定されるものではない。本開示が、本明細書中に記載された効果以外の効果を持っていてもよい。
【００９２】
また、例えば、本開示は以下のような構成を取ることができる。
（１）
眼球に装着されるレンズ部と、
前記レンズ部が前記眼球に装着されたときに収縮により小さくなった瞳孔と対向する円形領域内に主に設けられ、前記眼球に入射する光に対して前記レンズ部とは異なる作用を与える第１光学素子と
を備えた
コンタクトレンズ。
（２）
前記第１光学素子は、偏光分離、光量減衰、波長変換、波長選択、または、波長分布拡大を行う
（１）に記載のコンタクトレンズ。
（３）
前記第１光学素子は、音圧または熱量に応じて前記作用の度合いを変える
（１）または（２）に記載のコンタクトレンズ。
（４）
外部環境の変化を検知するセンサ素子と、
前記センサ素子から出力される検知信号に基づいて、前記第１光学素子の前記作用の度合いを制御する制御部と
を更に備えた
（１）ないし（３）のいずれか１つに記載のコンタクトレンズ。
（５）
前記第１光学素子は、前記レンズ部の内部に設けられている
（１）ないし（４）のいずれか１つに記載のコンタクトレンズ。
（６）
前記レンズ部が前記眼球に装着されたときに拡大により大きくなった瞳孔の外縁と対向する輪帯領域内に主に設けられ、前記眼球に入射する光に対して前記レンズ部とは異なる作用を与える第２光学素子を更に備えた
（１）ないし（５）のいずれか１つに記載のコンタクトレンズ。
（７）
眼球に装着されるレンズ部と、
前記レンズ部が前記眼球に装着されたときに拡大により大きくなった瞳孔の外縁と対向する輪帯領域内に主に設けられ、前記眼球に入射する光に対して前記レンズ部とは異なる作用を与える光学素子と
を備えた
コンタクトレンズ。
（８）
前記光学素子は、光量増幅、コントラスト強調、波長変換、波長選択、または、波長分布拡大を行う
（７）に記載のコンタクトレンズ。
（９）
前記光学素子は、音圧または熱量に応じて前記作用の度合いを変える
（８）に記載のコンタクトレンズ。
（１０）
外部環境の変化を検知するセンサ素子と、
前記センサ素子から出力される検知信号に基づいて、前記光学素子の前記作用の度合いを制御する制御部と
を更に備えた
（７）ないし（９）のいずれか１つに記載のコンタクトレンズ。
（１１）
前記光学素子は、前記レンズ部の内部に設けられている
（７）ないし（１０）のいずれか１つに記載のコンタクトレンズ。
（１２）
眼球に装着されるレンズ部と、
前記レンズ部に設けられ、視野周辺部におけるボケ量を視野中心部のボケ量よりも大きくする視野角特性を発現する光学素子と
を備えた
コンタクトレンズ。
（１３）
外部環境の変化を検知するセンサ素子と、
前記センサ素子から出力される検知信号に基づいて、前記光学素子の前記作用の度合いを制御する制御部と
を更に備えた
（１２）に記載のコンタクトレンズ。
（１４）
前記光学素子は、前記レンズ部の内部に設けられている
（１２）または（１３）に記載のコンタクトレンズ。
（１５）
眼球に装着されるレンズ部と、
外部環境の変化を検知するセンサ素子と、
前記レンズ部に設けられ、前記センサ素子から出力される検知信号に基づいて、自身の作用の度合いを変化させる光学素子と
を備えた
コンタクトレンズ。
（１６）
眼球に装着されるレンズ部と、
前記レンズ部に設けられ、前記眼球に入射する光に対して、波長変換、波長選択、または、波長分布拡大を行う光学素子と
を備えた
コンタクトレンズ。
（１７）
眼球に装着されるレンズ部と、
前記レンズ部に設けられた発光素子と、
外部環境の変化を検知するセンサ素子と、
前記センサ素子から出力される検知信号に基づいて、前記発光素子の発光を制御する制御部と
を備えた
コンタクトレンズ。
（１８）
前記発光素子は、前記レンズ部が前記眼球に装着されたときに虹彩の周縁と対向する領域内に設けられている
（１７）に記載のコンタクトレンズ。
【００９３】
本出願は、日本国特許庁において２０１７年１０月１３日に出願された日本特許出願番号第２０１７−１９９３６０号を基礎として優先権を主張するものであり、この出願のすべての内容を参照によって本出願に援用する。
【００９４】
当業者であれば、設計上の要件や他の要因に応じて、種々の修正、コンビネーション、サブコンビネーション、および変更を想到し得るが、それらは添付の請求の範囲やその均等物の範囲に含まれるものであることが理解される。
【図１】
2019073676.tif 000003
【図２】
2019073676.tif 000004
【図３】
2019073676.tif 000005
【図４】
2019073676.tif 000006
【図５】
2019073676.tif 000007
【図６】
2019073676.tif 000008
【図７】
2019073676.tif 000009
【図８】
2019073676.tif 000010
【図９】
2019073676.tif 000011
【図１０】
2019073676.tif 000012
【図１１】
2019073676.tif 000013
【図１２】
2019073676.tif 000014
【図１３】
2019073676.tif 000015
【図１４】
2019073676.tif 000016
【図１５】
2019073676.tif 000017
【図１６】
2019073676.tif 000018
【図１７】
2019073676.tif 000019
【図１８】
2019073676.tif 000020
【図１９】
2019073676.tif 000021
【図２０】
2019073676.tif 000022
【国際調査報告】
2019073676.tif 000023
2019073676.tif 000024
2019073676.tif 000025
2019073676.tif 000026
2019073676.tif 000027
2019073676.tif 000028